(57)【特許請求の範囲】
【請求項１】
本体に対して天板を昇降させる昇降手段を有するデスクと、当該デスクの反使用縁側に起立させたパネルとを備えるデスクシステムであって、
前記天板は、少なくとも着座姿勢での使用に対応する座位使用位置と起立姿勢での使用に対応する立位使用位置との間で昇降可能とされており、
前記天板を座位使用位置にすることで、天板の高さを前記パネルの上端よりも低くして、天板上の作業空間を前記パネルによって反使用縁側より遮蔽させ、
前記天板を立位使用位置にすることで、天板の高さを前記パネルの上端と同一又はこの上端よりも高くして、天板上の作業空間を反使用縁側に開放させ得るように構成し、
前記パネルを挟んで対向して配置される２つの天板を備え、
前記２つの天板は、前記パネルの上端と同一の高さとなる状態を取り得ることを特徴とするデスクシステム。
【請求項２】
本体に対して天板を昇降させる昇降手段を有するデスクと、当該デスクの反使用縁側に起立させたパネルと、前記デスクと並べて配置された収納家具とを備えるデスクシステムであって、
前記天板は、少なくとも着座姿勢での使用に対応する座位使用位置と起立姿勢での使用に対応する立位使用位置との間で昇降可能とされており、
前記天板を座位使用位置にすることで、天板の高さを前記パネルの上端よりも低くして、天板上の作業空間を前記パネルによって反使用縁側より遮蔽させ、
前記天板を立位使用位置にすることで、天板の高さを前記パネルの上端と同一又はこの上端よりも高くして、天板上の作業空間を反使用縁側に開放させ得るように構成し、
前記天板を上昇させることにより、前記天板と前記パネルの上端と前記収納家具の頂板とを連続させて同一面とすることが可能であることを特徴とするデスクシステム。
【請求項３】
前記パネルを挟んで対向して配置される２つの天板を備えることを特徴とする請求項２に記載のデスクシステム。
【請求項４】
前記パネルは、前記天板を少なくとも座位使用位置にした際に、当該天板の上方から下方に亘って連続し、天板上の作業空間及び天板下の下肢空間を反使用縁側から遮蔽するように構成されていることを特徴とする請求項１〜３の何れかに記載のデスクシステム。
【請求項５】
前記パネルは、前記デスクの本体により上下方向に位置変更可能に支持されていることを特徴とする請求項１〜４の何れかに記載のデスクシステム。
【請求項６】
前記パネルは、幅方向中央部が天板の奥行き方向に対してほぼ垂直とされるとともに、幅方向両端部が使用縁側に近づくように前記幅方向中央部に対して湾曲又は屈曲するように構成されていることを特徴とする請求項１〜５の何れかに記載のデスクシステム。
【請求項７】
前記２つの天板が、平面視において反使用縁と側縁とを斜めにつなぐ斜縁をそれぞれ備えており、当該斜縁同士を対向配置させることで、斜向かいに２つの天板を略連続させ得るように構成したことを特徴とする請求項１または３に記載のデスクシステム。
【発明の詳細な説明】
【技術分野】
【０００１】
本発明は、個人が作業に集中しやすい環境と、複数人でコミュニケーションを取りやすい環境とを切り替えて構築することのできるデスクシステムに関するものである。
【背景技術】
【０００２】
従来、オフィス等の室内空間を効率的に利用するために、複数のデスクを幅方向に並べて配置したり、対面して配置したりすることが一般的に行われている。このように密接にデスクを配置すると、他者の動作によって集中力がそがれることがあるため、デスク間にパーティション等を設け、別の机の着座者が視界に入らないようにすることもある。
【０００３】
しかしながら、上記のようにパーティションを設けた場合、個別に作業を進める場合には良くても、付近の者に連絡事項を伝える場合や共同で案を練る場合など互いにコミュニケーションをとることが必要な場合には、こうしたパーティションが邪魔になる。そのため、複数人でミーティングを行う場合には、別途ミーティングルーム等に場所を移して、複数人が席に着くことのできるテーブルなどを用いることになる。
【０００４】
こうした問題を解消するために、特許文献１では、複数の扇形天板を連ねて環状テーブルを構成し、その内側より各天板に向かって使用者（ワーカー）が着座するようにしたものが開示されている。このものは、各天板の外周縁にはデスクトップパネルを配置するとともに、隣接する天板の間に左右仕切パネルを設け、各天板上の空間を反使用縁側及び側縁側より遮蔽されるようになっている。
【０００５】
このようにすることで、各天板に向かって着座した場合には、互いに他者を視界に入れることなく作業に集中することができる。さらには、環状テーブルの内側に別途円形テーブルを準備することで、各天板に背を向けて、内側の円形テーブルに向かうことで、複数人でのミーティングを効率的に行うことができるようになっている。
【先行技術文献】
【特許文献】
【０００６】
【特許文献１】特開２０１２−８５９３７号公報
【発明の概要】
【発明が解決しようとする課題】
【０００７】
しかしながら、上記特許文献１のものでは、個人で作業を行う環状テーブルと、ミーティング時に使用する円形テーブルの２つのテーブルが必要となり、スペースに無駄が生ずる。また、個人作業とミーティングとの切り替えを行う場合に、その都度各人が資料や文具等を移動させることが必要になるため、猥雑となって作業効率が低下するおそれがある。さらには、個人作業とミーティングとの切り替えを同じ椅子に座ったまま向きを変えるのみで行うことになるため、ミーティングの内容によっては作業とミーティングとの間で連続感が生じ、緊張感のない雰囲気となってミーティングが長時間化することも考えられる。
【０００８】
本発明は、このような課題を有効に解決することを目的としており、具体的には、スペースを有効に活用できる上に、外部より隔離され集中して作業に打ち込める状態と、他者とのコミュニケーションを取りながら仕事を進められる状態とを簡単且つ効果的に切り替えることができるデスクシステムを提供することを目的としている。
【課題を解決するための手段】
【０００９】
本発明は、かかる目的を達成するために、次のような手段を講じたものである。
【００１０】
すなわち、本発明のデスクシステムは、本体に対して天板を昇降させる昇降手段を有するデスクと、当該デスクの反使用縁側に起立させたパネルとを備えるデスクシステムであって、前記天板は、少なくとも着座姿勢での使用に対応する座位使用位置と起立姿勢での使用に対応する立位使用位置との間で昇降可能とされており、前記天板を座位使用位置にすることで、天板の高さを前記パネルの上端よりも低くして、天板上の作業空間を前記パネルによって反使用縁側より遮蔽させ、前記天板を立位使用位置にすることで、天板の高さを前記パネルの上端と同一又はこの上端よりも高くして、天板上の作業空間を反使用縁側に開放させ得るように構成し、前記パネルを挟んで対向して配置される２つの天板を備え、前記２つの天板は、前記パネルの上端と同一の高さとなる状態を取り得ることを特徴とする。
【００１１】
このように構成すると、天板を座位使用位置にすることにより着座姿勢で使用し、天板を立位使用位置にすることにより起立姿勢で使用することができ、さらにはこうした使用形態の変更を天板の昇降のみで簡単且つ円滑に行うことができることから、スペースを無駄なく有効に活用しながら、使用者に状況や気分に応じて異なる姿勢で作業を行わせることが可能となる。そして、天板を座位使用位置にした場合には、天板の高さがパネルの上端よりも低くなって、天板上の作業空間がパネルによって反使用縁側から遮蔽されることにより、使用者は周囲よりも隔離された状態となり集中して作業を行うことが可能となる。また、天板を立位使用位置にした場合には、天板の高さがパネルの上端と同一又はこの上端よりも高くなって、天板上の作業空間が反使用縁側に開放されることにより、周辺の者とのコミュニケーションを取り易くすることができ、その場で起立姿勢のままミーティングを行うことも可能となる。さらに、天板を囲んでミーティングを行う場合には、起立姿勢となることで個人的な作業との連続感を断ち心理的な切り替えができることから、業務の効率化を図ることもできる。
また、パネルを挟んで対向して配置される２つの天板の高さをパネルの上端と同一の高さとして、天板に向かって起立姿勢をとる使用者は、天板越しに他者と容易にコミュニケーションを取ることが可能となる。そのため、この天板を複数人で囲んでミーティングを行うことができる。
複数人が利用可能であり、各々の使用者が互いの動作に邪魔されず集中して作業を行うことができる状態、及び、互いに顔を合わせてコミュニケーションを取れ、その場でミーティングを行うことができる状態を効果的に両立するためには、前記パネルを挟んで対向して配置される２つの天板を備えるように構成することが好適である。
本発明のデスクシステムは、本体に対して天板を昇降させる昇降手段を有するデスクと、当該デスクの反使用縁側に起立させたパネルと、前記デスクと並べて配置された収納家具とを備えるデスクシステムであって、前記天板は、少なくとも着座姿勢での使用に対応する座位使用位置と起立姿勢での使用に対応する立位使用位置との間で昇降可能とされており、前記天板を座位使用位置にすることで、天板の高さを前記パネルの上端よりも低くして、天板上の作業空間を前記パネルによって反使用縁側より遮蔽させ、前記天板を立位使用位置にすることで、天板の高さを前記パネルの上端と同一又はこの上端よりも高くして、天板上の作業空間を反使用縁側に開放させ得るように構成し、前記天板を上昇させることにより、前記天板と前記パネルの上端と前記収納家具の頂板とを連続させて同一面とすることが可能であることを特徴とする。
このように構成すると、天板を座位使用位置にすることにより着座姿勢で使用し、天板を立位使用位置にすることにより起立姿勢で使用することができ、さらにはこうした使用形態の変更を天板の昇降のみで簡単且つ円滑に行うことができることから、スペースを無駄なく有効に活用しながら、使用者に状況や気分に応じて異なる姿勢で作業を行わせることが可能となる。そして、天板を座位使用位置にした場合には、天板の高さがパネルの上端よりも低くなって、天板上の作業空間がパネルによって反使用縁側から遮蔽されることにより、使用者は周囲よりも隔離された状態となり集中して作業を行うことが可能となる。また、天板を立位使用位置にした場合には、天板の高さがパネルの上端と同一又はこの上端よりも高くなって、天板上の作業空間が反使用縁側に開放されることにより、周辺の者とのコミュニケーションを取り易くすることができ、その場で起立姿勢のままミーティングを行うことも可能となる。さらに、天板を囲んでミーティングを行う場合には、起立姿勢となることで個人的な作業との連続感を断ち心理的な切り替えができることから、業務の効率化を図ることもできる。
また、天板を上昇させることにより、天板とパネルの上端と収納家具の頂板とを連続させて同一面とすることが可能であり、天板の高さが収納家具とも同じ高さとなり、天板上の作業領域を拡張するとともに、いずれの方向からでもこの作業領域に対してアクセスしやすい状態となる。そのため、この天板を複数人で囲んでミーティングを行うことができる。
【００１２】
天板を座位使用位置とした際に、その天板を中心に外部より隔離された空間を効果的に演出して、デスクワークに集中しやすい環境を造り出すためには、前記パネルは、前記天板を少なくとも座位使用位置にした際に、当該天板の上方から下方に亘って連続し、天板上の作業空間及び天板下の下肢空間を反使用縁側から遮蔽するように構成されていることが好適である。
【００１３】
作業者の好みや環境に合わせて、天板上の作業空間が外部より隔離される度合いを変更することができ、閉鎖感を強めて集中しやすい作業環境にしたり、閉鎖感を弱めて明るく開放的な作業環境にしたりすることを可能とするためには、前記パネルは、前記デスクの本体により上下方向に位置変更可能に支持されていることを特徴とする請求項１又は２記載のデスクシステム。
【００１４】
天板を座位使用位置とした際に、作業者に適度な囲われ感を持たせて、より作業に集中しやすい環境を造り出すためには、前記パネルが、幅方向中央部が天板の奥行き方向に対してほぼ垂直とされるとともに、幅方向両端部が使用縁側に近づくように前記幅方向中央部に対して湾曲又は屈曲するように構成されることが好適である。
【００１６】
さらには、２つの天板を対向させて配置した際に、天板の使用勝手を変えることなく、互いの使用縁同士を近づけて、天板を挟んでコミュニケーションを取りやすくするためには、前記２つの天板が、平面視において反使用縁と側縁とを斜めにつなぐ斜縁をそれぞれ備えており、当該斜縁同士を対向配置させることで、斜向かいに２つの天板を略連続させ得るように構成することが好適である。
【発明の効果】
【００１７】
以上説明した本発明によれば、設置するスペースを有効に活用できる上に、外部より隔離され集中して作業に打ち込める状態と、他者とのコミュニケーションを取りながら仕事を進められる状態とを簡単且つ効果的に切り替えることのできるデスクシステムを提供することが可能となる。
【図面の簡単な説明】
【００１８】
【図１】本発明の第１実施形態に係るデスクシステムを示す斜視図。
【図２】同デスクシステムの構成要素を分離した状態を示す斜視図。
【図３】同デスクシステムを構成する各デスクの天板を立位使用位置にした状態を示す斜視図。
【図４】同デスクシステムの平面図。
【図５】同デスクシステムを構成する一組のデスクユニットを示す斜視図。
【図６】同デスクユニットの正面図。
【図７】同デスクシステムを構成するデスクの天板下面を示す要部拡大斜視図。
【図８】同デスクシステムの使用形態を説明するための説明図。
【図９】本発明の第２実施形態に係るデスクシステムを示す斜視図。
【図１０】同デスクシステムの構成要素を分離した状態を示す斜視図。
【図１１】同デスクシステムを構成する各デスクの天板を立位使用位置にした状態を示す斜視図。
【図１２】同デスクシステムの平面図。
【図１３】同デスクシステムを構成する一組のデスクユニットを示す斜視図。
【図１４】同デスクシステムの変形例を模式的に示す側面図。
【図１５】同デスクシステムの変形例を模式的に示す斜視図。
【発明を実施するための形態】
【００１９】
以下、本発明の実施形態を、図面を参照して説明する。
＜第１実施形態＞
【００２０】
図１は、本発明における第１実施形態に係るデスクシステムＤＳ１の斜視図である。このデスクシステムＤＳ１は、デスク１及び収納家具２を４組備えるとともに、対向するデスク１，１間に配される２つのパネル３，３を備える。この図では、各デスク１の天板１１を、後述する座位使用位置Ｐ１にした状態を示している。
【００２１】
ここで、以下において方向の説明を行う場合には、デスク１を中心として奥行き方向（図中のＸ方向）、幅方向（図中のＹ方向）、高さ方向（図中のＺ方向）を設定し、これらの用語を用いることとする。
【００２２】
図２は、このデスクシステムＤＳ１の各構成要素を、分離させた状態を示す斜視図である。このように、各デスク１〜１、収納家具２〜２及びパネル３，３は、互いに分離可能とされ、それぞれ単独で自立することができる。収納家具２は、収納棚として構成されており、複数段の棚２１，２４，２５を備え、これらの上部に適宜収納する物品を載置することができる。
【００２３】
図３は、図１の状態を基に、各デスク１の天板１１を後述する立位使用位置Ｐ２にした状態を示す斜視図である。このように各デスクの天板１１は、座位使用位置Ｐ１と立位使用位置Ｐ２とを含む、異なる高さに変更することが可能となっている。
【００２４】
図４は、このデスクシステムＤＳ１の平面図である。天板１１の使用縁１１ａ側より見た場合、各デスク１の左側方には収納家具２が並べて配置されている。収納家具２は幅方向の寸法をデスク１の天板１１の１／４〜１／３とされるとともに、奥行き方向の寸法を天板１１と同一にされている。そして、デスク１に隣接して収納家具２が配置されることで、平面視において、デスク１と収納家具２とは使用縁１１ａ側と反使用縁１１ｂ側ともにほぼ連続した直線をなす。なお、デスク１に収納家具２を隣接させることは必須ではなく、所定間隔を空けて近接させるように配置してもよい。
【００２５】
このようなデスク１と収納家具２を組にして、これらを幅方向に２組並べて配置している。さらに、各組をなすデスク１と収納家具２の反使用縁１１ｂ側には、前後を逆向きにされた異なる組をなすデスク１と収納家具２とをそれぞれ対向するように配置している。こうすることで、４組のデスク１及び収納家具２によって平面視で矩形状の島を構成する、いわゆる島型配置としている。対向するデスク１，１は反使用縁１１ｂ同士の一部、具体的には約２／３〜３／４の範囲が対向するようにしており、こうすることでデスク１，１同士がやや斜めに対向するようにしている。そのため、対向するデスク１，１に着座する使用者同士が互いの視界に入ることを避けることができ、より外部の影響を受けることなく集中力を高めて作業に取り組むことができる。
【００２６】
また、対向する組をなすデスク１及び収納家具２同士の間には、平板状のパネル３がそれぞれ設けられている。パネル３の幅方向（図中のＹ方向）の寸法は、デスク１及び収納家具２の幅方向の寸法の和に等しくなるように設定している。
【００２７】
このデスクシステムＤＳ１は、上述したように４組のデスク１及び収納家具２より構成されているが、もちろん、さらに多くのデスク１、収納家具２及びパネル３を並べて、より大きな島を形作るようにすることができる。また、これとは逆に島を小さくすることもでき、デスク１、収納家具２及びパネル３を一つずつ使用することでもデスクシステムＤＳ１を構成できる。
【００２８】
図５は、デスクシステムＤＳ１を最小単位のデスクユニットＤＵ１として構成した例を示す斜視図である。すなわち、このデスクユニットＤＵ１を基本単位として、反使用縁１１ｂ側に島を大きくしたい場合にはデスク１及び収納家具２を対向させるように追加し、幅方向に島を大きくしたい場合には必要な分だけデスクユニットＤＵ１を追加することになる。
【００２９】
以下、図５を用いて、デスクシステムＤＳ１の最小単位であるデスクユニットＤＵ１を構成するデスク１、収納家具２、及びパネル３の具体的な構造について説明する。
【００３０】
デスク１は、天板１１とこれを支持するための本体１４とを備えるものであり、天板１１は、後述する座位使用位置Ｐ１と立位使用位置Ｐ２（図６参照）との間で、大きく天板１１の高さ寸法を変更することができるようになっている。
【００３１】
天板１１は、平面視において略矩形状をなす平板状に構成されており、使用縁１１ａと反使用縁１１ｂとは幅方向（Ｙ方向）に延びる直線状をなし、右側縁１１ｃと左側縁１１ｄとは奥行き方向（Ｘ方向）に延びる直線状をなす。また、これら使用縁１１ａ、反使用縁１１ｂ及び側縁１１ｃ，１１ｄには、弾性を備えるエッジ部材（図示せず）が取り付けられるとともに、各エッジは滑らかになるように丸め処理を行われている。
【００３２】
本体１４は、前後方向に延出される角柱状をなす一対の前後脚１５，１５と、各前後脚１５の後部側、すなわち天板１１における反使用縁１１ｂ側をつなぐように幅方向に延出される板状のベース１６と、ベース１６の幅方向中央付近より起立する昇降手段１７とから構成される。各前後脚１５の前下面と後下面には、それぞれアジャスタ１５ａ，１５ａが取り付けられており、これらを利用することで高さや傾きの調整を行うことができる。
【００３３】
ベース１６と前後脚１５とは一体となって平面視でコ字形をなし、使用縁１１ａ側を開放されることで、着座する使用者の足に干渉しないようになっている。また、これらベース１６と前後脚１５とは高さ寸法を小さく抑えられており、天板１１下の空間である下肢空間ＬＳは使用縁１１ａ側のみならず、反使用縁１１ｂ側及び両側縁１１ｃ，１１ｄ側に対しても大きく開放されている。また、前後脚１５は、天板１１の側縁１１ｃ，１１ｄと平行とされ、幅方向外側に向く各外面１５ｂ同士の間隔が、天板１１の幅方向寸法と略同一となるようにしている。さらに、各前後脚１５の外面１５ｂは、平面視において、天板１１の側縁１１ｃ，１１ｄと重なりあう位置となることから、デスク１を設置する際に前後脚１５の位置を合わせることで、自ずと天板１１の位置合わせを行うこともできるようになっている。
【００３４】
昇降手段１７は、ベース１６上に設置されるとともに上方を開口された内部空間（図示せず）を備える第１支柱４１と、その内部空間に下端を挿入され上端を天板１１の下面１２に接続された第２支柱４２とを備え、これら第１支柱４１及び第２支柱４２の内部には図示しないガススプリング（図示せず）が設けられている。このガススプリングが伸縮することによって、第１支柱４１に対し第２支柱４２が上下方向に進退し、天板１１を無段階で昇降させることができるようになっている。
【００３５】
天板１１は、昇降手段１７を介して前後脚１５に対して平行になるように支持されており、前後脚１５を水平な床面に対して設置した場合には、水平な状態を保ったまま昇降手段１７により上下に昇降させることが可能である。
【００３６】
図７は、天板１１の下面１２側より見た要部拡大斜視図である。この図に記載したように、天板１１の下面１２の使用縁１１ａ寄りの位置には、レバー４３が設けられている。レバー４３は、基端４３ａ側に設定された回転軸を中心として回動可能となっており、操作端４３ｂを持って回転させることで基端４３ａ側より延びるワイヤ４４を介して、上記昇降手段１７を構成するガススプリングの操作を行うことができるようになっている。具体的には、レバー４３の操作端４３ｂが反使用縁１１ｂ側を向いた状態ではロックが掛かり、ガススプリングが備えるシリンダ内が閉止状態となることで昇降手段１７による天板１１の昇降は不能となる。さらに、この状態よりロックを解除してレバー４３の操作端４３ｂが使用縁１１ａ側を向くように回動させることにより、ガススプリングのシリンダ内が開放状態となることで昇降手段１７による天板１１の昇降が可能となる。また、ガススプリングのシリンダ内を開放状態とする際に、その開放量を変更するための開放量変更機構を設けておけば、天板１１を昇降させるために要する抵抗力を変更可能となり、天板１１に載せる物品の重量とのバランスをとるために活用することもできて好適である。
【００３７】
このような天板１１を昇降させるための昇降手段１７は、ガススプリングを使用するものだけではなく、バネや滑車を用いる構造やこれらを併用する構造とすることもでき、用途やデザインに応じて適宜変更することができる。また、電動の昇降機構を組み込んで、ボタン操作を行うだけで天板１１の昇降ができるようにしても良い。
【００３８】
図５に戻って、収納家具２は長手方向を奥行き方向（Ｘ方向）に設定された直方体状の箱体部２１と、その箱体部２１の左側面２１ｂに沿って起立させた板状の側壁部２３とを備え、収納家具２の最上部となるこの側壁部２３の上端２３ａには右側に向かって延びるように設けられた板状の頂板２５が設けられるとともに、箱体部２１の上面２１ｃと頂板２５との間に板状の棚板２４が設けられている。これら頂板２５、棚板２４、箱体部２１の上面２１ｃは、それぞれ物品を載置するための上述した棚を構成する。
【００３９】
箱体部２１は、前面に矩形状の開口２１ｅが設けられ、その内部には引き出し２２が取り付けられており、この引き出し２２は天板１１の使用縁１１ａ側に引き出すことで、内部の収納空間ＳＳを開放することができるようになっている。本実施形態では、箱体部２１の下面２１ｄ（図６参照）を床面に当接させて設置するようにしているが、キャスタ等を設けることにより移動可能に構成しても良い。
【００４０】
側壁部２３の内面２３ｂには、上下方向に延びる金属製のレール部材２６が、奥行き方向に離間して一対埋め込まれるように設けられている。そして、このレール部材２６には上下方向に等ピッチで複数の係合穴２６ａが設けられている。棚板２４及び頂板２５の側壁部２３と対向する端部には、それぞれ係合穴２６ａに対応するフック状の係合片（図示せず）が一対設けられており、この係合片を何れかの高さの係合穴２６と係合させることにより、棚板２４及び頂板２５を側壁部２３に対して片持ち状に取り付けことができる。そして、係合させる係合穴２６を変更することにより、棚板２４及び頂板２５の高さを変更することができる。従って、頂板２５は、側壁部２３の上端２３ａに取り付ける場合だけではなく、上端２３ａよりも低い位置に取り付けることもできる。
【００４１】
収納家具２は、箱体部２１の下面２１ｄに対して、上面２１ｃ、棚板２４及び頂板２５がそれぞれ平行となるようにされており、水平な床面に下面２１ｄを設置した場合、上面２１ｃ、棚板２４及び頂板２５はほぼ水平となる。そして、同一の床面にデスク１と収納家具２をともに配置することで、デスク１の天板１１と、上面２１ｃ、棚板２４及び頂板２５とを平行にすることができる。
【００４２】
また、収納家具２の箱体部２１の幅方向寸法に対して、棚板２４及び頂板２５の幅方向寸法を小さく設定しており、箱体部２１の右側面２１ｂをデスク１の前後脚１５に当接させた場合に、天板１１と棚板２４との間、及び、天板１１と頂板２５との間には、それぞれ所定の隙間Ｇ（図６参照）が形成されるようになっている。さらに、収納家具２の棚板２４及び頂板２５の奥行き方向寸法はデスク１の天板１１と同一に設定しており、それぞれの前縁及び後縁が、平面視において天板１１の使用縁１１ａ及び反使用縁１１ｂと同一の直線をなすように配置している。
【００４３】
また、棚板２４及び頂板２５は、天板１１の使用縁１１ｂ側の縁部２４ｂ，２５ｂと天板１１側の縁部２４ｃ，２５ｃとが連続して開放されており、これらの間にはコーナー支柱なども設けられていなことから、棚板２４の上下の空間は天板１１の使用縁１１ａ側の方向に開放されるとともに、デスク１側に向かって開放されている。そのため、天板１１を昇降させることにより、天板１１の上下の作業空間ＷＳ及び下肢空間ＬＳを、棚板２４及び頂板２５の上下の空間と連続させることが可能となっており、双方を違和感なく一体的に使用することが可能となっている。
【００４４】
このような収納家具２及びデスク１の反使用縁１１ｂ側には、上述したパネル３が起立して設けられる。
【００４５】
パネル３は平板状に形成されており、表裏両面の下端には略Ｌ字型の支持脚３１（図２参照）が幅方向（Ｙ方向）に離間させて一対設けられている。この支持脚３１によってパネル３は自立させることができるが、奥行き方向に配置するデスク１，１及び収納家具２，２により挟み込むことによって、支持脚３１を用いることなくパネル３を支持させるようにしても良い。なお、この支持脚３１の形状は、パネル３を起立した状態で適切に保持できる限り、適宜変更しても良い。
【００４６】
パネル３は長方形をなしており、天板１１の使用縁１１ａ側より見た場合、右側縁３ｃがデスク１の天板１１の右側縁１１ｃの位置と略一致し、左側縁３ｄが収納家具２の側壁部２３の外面２３ｃと略一致する。そして、下縁３ｂを床面に当接させることで、上端となる上縁３ａが、収納家具２の側壁部２３の上端２３ａと略一致する。
【００４７】
図６は、上記のように構成したデスクユニットＤＵ１の正面図である。なお、この図ではパネル３（図５参照）を省略して記載している。デスク１の天板１１は、レバー４３を操作することで昇降可能とされており、図中で示すように座位使用位置Ｐ１及び立位使用位置Ｐ２に変更することができる。
【００４８】
ここで、座位使用位置Ｐ１と立位使用位置Ｐ２の考え方について、図８を用いて説明を行う。図８は、対向して配置したデスク１，１の天板１１，１１をそれぞれ座位使用位置Ｐ１と立位使用位置Ｐ２に異ならせた場合を模式的に示す側面図である。なお、この図では、収納家具２（図５参照）を省略して記載している。
【００４９】
座位使用位置Ｐ１とは、着座姿勢に対応した位置、すなわち、図中左側に記載した着座する使用者Ｍ１により天板１１を使用するために適した位置を指す。より具体的には、着座姿勢とは、使用者Ｍ１が足の裏を床面に付けながら両膝をほぼ直角に曲げて椅子に腰掛け、背筋を伸ばした姿勢を指す。さらに、着座する使用者Ｍ１により天板１１を使用するために適した位置とは、平均的な体格の成人が着座姿勢をとった場合に、上腕をほぼ垂直に下ろして、肘をほぼ直角に曲げることで手が天板１１上に乗る程度の位置を指す。座位使用位置Ｐ１となる天板１１の高さＨ１は、６５０ｍｍ以上７５０ｍｍ以下に設定することが好ましく、その中でも７００ｍｍ以上７５０ｍｍ以下に設定することがより好ましい。
【００５０】
立位使用位置Ｐ２とは、起立姿勢に対応した位置、すなわち、図中右側に記載した起立する使用者Ｍ２により天板１１を使用するために適した位置を指す。より具体的には、起立姿勢とは、使用者Ｍ２が床面上に足の裏をつけ、ほぼ垂直に立った姿勢を指す。さらに、起立する使用者Ｍ２により天板１１を使用するために適した位置とは、平均的な体格の成人が起立姿勢をとった場合に、その人の胸よりもやや下側になる程度の位置、換言すると、その人が上腕をほぼ垂直に下ろして肘をほぼ直角に曲げることで手が天板１１上に乗る位置又はその位置よりもやや高い位置を指す。立位使用位置Ｐ２となる天板１１の高さＨ２は、１０００ｍｍ以上１２００ｍｍ以下に設定することが好ましく、その中でも１１００ｍｍ以上１２００ｍｍ以下に設定することがより好ましい。
【００５１】
なお、本実施形態では、天板１１の昇降可能範囲の上端を座位使用位置Ｐ１としており、下端を立位使用位置Ｐ２としているが、天板１１の昇降範囲を変更することにより、座位使用位置Ｐ１をよりも低い位置にまで降下可能とすることや、立位使用位置Ｐ２より高い位置にまで上昇可能とするように設定することもできる。こうすることで、使用者の体格に合わせて、天板１１を座位使用位置Ｐ１や立位使用位置Ｐ２とは異なる高さに設定して使用することもできる。
【００５２】
図６に戻って、棚板２４の床面からの高さ寸法Ｈｓも、デスク１の天板１１を座位使用位置Ｐ１にした場合の高さ寸法Ｈ１と同一になるようにしている。こうすることで、天板１１を座位使用位置Ｐ１にした場合、天板１１の上面１３と棚板２４の上面２４ａとが面一に連なり、棚板２４と天板１１との間で物品を簡単に移動させることが可能となる。また、棚板２４の上方の棚上空間ＵＳ１が、天板１１側に開放されていることで、棚板２４を天板１１と連続する拡張天板として利用することもでき、天板１１上の作業空間ＷＳと棚上空間ＵＳ１とを一つの連続空間ＣＳ１として作業効率を高めることができる。さらに、棚板２４の上方の空間が天板１１の使用縁１１ａ側にも開放されていることから、より上記の効果を高めて使い勝手を良くすることも可能となっている。
【００５３】
他方、頂板２５の床面からの高さ寸法Ｈｔも、デスク１の天板１１を座位使用位置Ｐ２にした場合の高さ寸法Ｈ２と同一になるようにしている。こうすることで、天板１１を座位使用位置Ｐ２にした場合、天板１１の上面１３と頂板２５の上面２５ａとが面一に連なり、頂板２５と天板１１との間で物品を簡単に移動させることが可能となる。こうすることで、頂板２５を天板１１と連続する拡張天板として利用することもでき、１個のハイテーブルとして使用することができる。すなわち、天板１１上の作業空間ＷＳと頂板２５の上方の棚上空間ＵＳ２とを一つの連続空間ＣＳ２として作業効率を高めることができる。
【００５４】
また、上述したように、棚板２４及び頂板２５は、箱体部２１に比し幅方向寸法を小さくされ、天板１１の側縁１１ｄとの間で所定の隙間Ｇが形成されるようにしていることから、天板１１を上下に昇降させた場合でも、天板１１との間に物が挟まって昇降を阻害することがない。
【００５５】
さらに、図８に示すように、天板１１を座位使用位置Ｐ１にした場合には、その天板１１の上方から下方に亘ってパネル３が連続するものとなり、天板１１の上方の作業空間ＷＳ及び下方の下肢空間ＬＳは、パネル３によって反使用縁１１ｂ側より遮蔽される。すなわち、パネル３はいわゆるデスクトップパネルと、幕板としての機能を持つことになる。そのため、このデスク１に向かって使用者Ｍ１が着座した場合には、反使用縁１１ｂ側における人の動作に邪魔をされず、集中して作業を行うことができる。なお、パネル３を天板１１の上方から下方に亘って連続させた状態とすることは、天板１１を座位使用位置Ｐ１にする場合だけではなく、天板１１を立位使用位置Ｐ２よりも低くした広い昇降範囲内において実現することが可能である。
【００５６】
さらにこの際、天板１１の上方の作業空間ＷＳ及び下方の下肢空間ＬＳは、収納家具２によっても、側方より遮蔽されることになるため、隣接するデスク１に着座する者など、側方における人の動作に邪魔をされず、集中して作業を行うことができる。
【００５７】
他方、天板１１を立位使用位置Ｐ２にした場合には、その天板１１がパネル３の上縁３ａと同一の高さとなる。そのため、この天板１１に向かって起立姿勢をとる使用者Ｍ２は、天板１１越しに他者と容易にコミュニケーションを取ることが可能となる。また、上述したように、天板１１の高さが収納家具２とも同じ高さとなり、天板１１上の作業領域ＷＳを拡張するとともに、いずれの方向からでもこの作業領域ＷＳに対してアクセスしやすい状態となる。そのため、この天板１１を複数人で囲んでミーティングを行うことができる。もちろん、立位使用位置Ｐ２にした場合であっても、個人作業に用いることもでき、状況や作業内容に応じて使い分けることもできる。
【００５８】
このようにデスクユニットＤＵ１を構成することで、図１のように４組のデスク１及び収納家具２と、２つのパネルとを組み合わせた島型配置とした場合には、各デスク１の天板１１を座位使用位置Ｐ１とした場合には、互いに視線を合わせることなく個人作業に集中することができる。
【００５９】
一方で、図１の状態より、各デスク１の天板１１を立位使用位置Ｐ２にした場合には、４組のデスク１の天板１１及び収納家具２の頂板２５によって大きなハイテーブルを構成することができ、これを複数人で囲んでミーティングを行うことができる。
【００６０】
このように座位使用位置Ｐ１及び立位使用位置Ｐ２を利用して、個人での作業に適した状態より複数人での作業に適した状態に変更することができる上に、これらの移行が天板１１の昇降のみによって実現でき、天板１１上に載置した物品の移動を伴うことがないため、簡単且つ円滑に作業内容を変更することができる。また、個人作業とミーティングとをその場で行うことができるため、スペースの無駄を生じることも無い。さらには、個人作業とミーティングとを、着座姿勢と起立姿勢のように姿勢を変えて行うため、心理的な切り替えも容易に行うことができ、仕事の効率化に繋がる。加えて、ミーティングを起立姿勢で行うことから、ミーティング時間の短縮にも繋がり、さらなる業務の効率化を図ることもできる。
【００６１】
以上のように、本実施形態におけるデスクシステムＤＳ１は、本体１４に対して天板１１を昇降可能に支持させたデスク１と、デスク１の反使用縁１１ｂ側に起立させたパネル３とを備えるものであって、天板１１は、少なくとも着座姿勢での使用に対応する座位使用位置Ｐ１と起立姿勢での使用に対応する立位使用位置Ｐ２との間で昇降可能とされており、天板１１を座位使用位置Ｐ１にすることで、天板１１の高さＨ１をパネル３の上端としての上縁３ａよりも低くして、天板１１上の作業空間ＷＳをパネル３によって反使用縁１１ｂ側より遮蔽させ、天板１１を立位使用位置Ｐ２にすることで、天板１１の高さＨ２をパネル３の上端３ａと同一にして、天板１１上の作業空間ＷＳを反使用縁１１ｂ側に開放させ得るように構成したものである。
【００６２】
このように構成すると、天板１１を座位使用位置Ｐ１にすることにより着座姿勢で使用し、天板１１を立位使用位置Ｐ２にすることにより起立姿勢で使用することができ、さらにはこうした使用形態の変更を天板１１の昇降のみで簡単且つ円滑に行うことができることから、スペースを無駄なく有効に活用しながら、使用者に状況や気分に応じて異なる姿勢で作業を行わせることが可能となる。そして、天板１１を座位使用位置Ｐ１にした場合には、天板１１の高さＨ１がパネル３の上端３ａよりも低くなって、天板１１上の作業空間ＷＳがパネル３によって反使用縁１１ｂ側から遮蔽されることにより、使用者は周囲よりも隔離された状態となり集中して作業を行うことが可能となる。また、天板１１を立位使用位置Ｐ２にした場合には、天板１１の高さＨ２がパネル３の上端３ａと同一になって、天板１１上の作業空間ＷＳが反使用縁１１ｂ側に開放されることにより、周辺の者とのコミュニケーションを取り易くすることができ、その場で起立姿勢のままミーティングを行うことも可能となる。さらに、天板１１を囲んでミーティングを行う場合には、起立姿勢となることで個人的な作業との連続感を断ち心理的な切り替えができることから、業務の効率化を図ることもできる。
【００６３】
さらに、パネル３は、天板１１を少なくとも座位使用位置Ｐ１にした際に、天板１１の上方から下方に亘って連続し、天板１１上の作業空間ＷＳ及び天板１１下の下肢空間ＬＳを反使用縁１１ｂ側から遮蔽するように構成されていることから、このパネル３を、天板１１を座位使用位置Ｐ１とした際のデスクトップパネル及び幕板として機能させ、外部と隔離された空間を効果的に演出して、デスクワークに集中しやすい環境を造り出すことができる。
【００６４】
また、パネル３を挟んで対向して配置される２つの天板１１，１１を備えていることから、双方の天板１１を座位使用位置Ｐ１とした場合には、各天板１１の使用者は互いの動作に邪魔されず、集中して作業を行うことができる上に、双方あるいはいずれか一方の天板１１を立位使用位置Ｐ２にした場合には、互いに顔を合わせてコミュニケーションを取ることができ、その場でミーティングを行うことができる。また、双方の天板１１を立位使用位置Ｐ２にした場合には、複数の者がその天板１１を囲んでミーティングを行うことのできる場を容易に得ることができる。
＜第２実施形態＞
【００６５】
図９は、本発明における第２実施形態に係るデスクシステムＤＳ２の斜視図である。このデスクシステムＤＳ２は、第１実施形態と同様、デスク１０１及び収納家具１０２を４組備えるとともに、対向するデスク１０１，１０１間に配される２つのパネル１０３，１０３を備えるものである。第１実施形態とは、デスク１０１、収納家具１０２、及びパネル１０３の形状がそれぞれ異なってはいるものの、これらを島型配置している点では共通している。そこで、第１実施形態と同じ部分には同じ符号を付して説明を省略する。
【００６６】
各デスク１０１の天板１１１は、第１実施形態と同様に昇降可能とされており、この図は各天板１１１を座位使用位置Ｐ１に設定した状態を示している。
【００６７】
図１０は、このデスクシステムＤＳ２の各構成要素を、分離させた状態を示す斜視図である。このように、各デスク１０１〜１０１、収納家具１０２〜１０２及びパネル１０３，１０３は、互いに分離可能とされ、それぞれ単独で自立することができる。
【００６８】
図１１は、図９の状態を基に、各デスク１０１の天板１１１を、後述する立位使用位置Ｐ２にした状態を示す斜視図である。このように、この実施形態のデスクシステムＤＳ２においても、各デスクの天板１１を、座位使用位置Ｐ１と立位使用位置Ｐ２とを含む、異なる高さに無段階で変更することが可能となっている。
【００６９】
図１２は、このデスクシステムＤＳ２の平面図である。各デスク１０１の天板１１１は、平面視において六角形状に形成されており、着座者に近い使用縁１１１ａが幅方向（Ｙ方向）に沿って直線状に延びるとともに、この使用縁１１１ａに平行に反使用縁１１１ｂが直線状に延びるように形成されている。さらに、使用縁１１１ａの両端には、奥行き方向（Ｘ方向）に延びる右側縁１１１ｃ及び左側縁１１１ｄが直線状に形成され、各側縁１１１ｃ，１１１ｄと、反使用縁１１１ｂとは、これらに対してほぼ４５°傾いた斜縁１１１ｅ，１１１ｆによって接続されるようになっている。こうすることで、天板１１１は、反使用縁１１１ｂと両側縁１１１ｃ，１１１ｄにより形成される角部が切り落とされた形状となっており、反使用縁１１１ｂ近くで、幅方向に小さくすぼめられた形状となっている。なお、天板１１１のサイズによっては、斜縁１１１ｅ，１１１ｆが幅方向及び奥行き方向となす角度を４５°より変更してもよい。
【００７０】
このような天板１１１の形状とすることで、天板１１１の面積は小さくなるものの、使用者側より遠い比較的デッドスペースになりがちな領域を切り落としたものであることから、使用者にとってはさほど使い勝手が変わることがない。
【００７１】
各デスク１０１の左側方には収納家具１０２を並べて配置している。収納家具１０２は、平面視において天板１１１の側縁１１１ｃ，１１１ｄと同じ奥行き寸法とされており、左側縁１１１ｃに隣接して設けられている。こうすることで、平面視において収納家具１０２とは、天板１１１の使用縁１１１ａとほぼ連続した直線をなす。また、収納家具１０２の幅方向寸法も、奥行き方向寸法と略同一に設定しており、平面視においてほぼ正方形をなす。さらに、収納家具１０２の幅方向寸法は、天板１１１の反使用縁１１１ｂの長さとも略同一となっている。
【００７２】
このようなデスク１０１と収納家具１０２を組にして、これらを幅方向に２組並べて配置しており、さらに、各組をなすデスク１０１と収納家具１０２の反使用縁１１ｂ側には、前後を逆向きにされた異なる組をなすデスク１０１と収納家具１０２とをそれぞれ対向するように配置している。具体的には、４つのデスク１０１は、それぞれ斜縁１１１ｅ，１１１ｅ同士、又は、斜縁１１１ｆ，１１１ｆが対向するように斜め向かいに配置されており、こうすることで、対向するデスク１０１，１０１の使用縁１１１ａ，１１１ａ同士をより近づけることが可能となっている。
【００７３】
こうした配置について異なる見方をすると、４つのデスク１０１の天板１１１は、反使用縁１１１ｂ側隅のデッドスペースを切り取られることで斜縁１１１ｅ，１１１ｆが形成されるとともに、これらの斜縁１１１ｅ，１１１ｆ同士を対向配置されることにより、使用縁１１１ａ，１１１ａ同士を近づけて緊密に配置される。さらに、斜縁同士１１１ｅ，１１１ｆ同士が対向配置されることで、幅方向に隣接する天板１１１，１１１の側縁１１１ｃ，１１１ｄ間に生じる空間に収納家具１０２を配置し、空間を一層有効に活用可能としている。
【００７４】
また、対向するデスク１０１，１０１の間にはパネル１０３が設けられている。
【００７５】
図１３は、デスクシステムＤＳ２より最小単位のデスクユニットＤＵ２を抜き出して構成した例を示す斜視図である。以下、この図を参照しながら、各構成要素の具体的な構造について詳細に説明を行う。
【００７６】
デスク１０１は、天板１１１とこれを支持するための本体１１４とを備えており、本体１１４によって、天板１１１を昇降させ、座位使用位置Ｐ１と立位使用位置Ｐ２にすることができる。
【００７７】
天板１１１は平面視において六角形をなす平板状に構成されており、これを支持するための本体１１４は、天板の右側縁１１１ｃ、右斜縁１１１ｅ、反使用縁１１１ｂ、左斜縁１１１ｆ、及び左側縁１１１ｄに沿った形状をなす支持脚１１５と、その中央付近より起立させた昇降手段１７とから構成される。
【００７８】
支持脚１１５は、高さ寸法を小さく抑えられており、第１実施形態と同様、天板１１１下の下肢空間ＬＳは、両側方及び使用縁１１１ａ側に開放されている。また、支持脚１１５の幅方向外面１１５ａは、平面視において、天板１１１の側縁１１１ｃ，１１１ｄと重なりあう位置となっている。
【００７９】
天板１１１は、昇降手段１７を介して支持脚１１５に対して略平行になるように支持されており、支持脚１１５を水平な床面に対して設置した場合には、水平な状態を保ったまま昇降手段１７により上下に昇降させることが可能である。
【００８０】
収納家具１０２は、第１実施形態の収納家具２（図５参照）と同様、箱体部１２１、引き出し１２２、側壁部１２３、棚板１２４及び頂板１２５を備えているものの、奥行き方向（Ｘ方向）を小さく設定されるとともに、箱体部２１の背面側に背壁部１２６を備える点で大きく異なる。また、棚板１２４及び頂板１２５は、それぞれ物品を載置するための棚を構成しており、高さを変更することのできない固定式とされているが、第１実施形態と同様に高さを変更できるようにしても差し支えない。
【００８１】
収納家具１０２の棚板１２４及び頂板１２５は、第１実施形態の場合と同様、天板１１１と平行とされており、天板１１１の高さを座位使用位置Ｐ１や立位使用位置Ｐ２に変更することで、天板１１１と棚板１２４又は頂板１２５とを同一の平面で連続させるようにすることもできる。また、棚板１２４及び頂板１２５は、天板１１１の使用縁１１１ａ側の縁部１２４ｂ，１２５ｂ及び天板１１１側の縁部１２４ｃ，１２５ｃが連続して開放されており、棚板１２４及び頂板１２５の上下の空間が使用縁１１１ａ側、及び、天板１１１側に開放されている点でも第１実施形態と同様になっている。
【００８２】
パネル１０３は、天板１１１の右斜縁１１１ｅ、反使用縁１１１ｂ及び左斜縁１１１ｃに沿ってそれぞれ設けられた第１壁部１３１、第２壁部１３２及び第３壁部１３３と、収納家具１０２の背壁部１２６に沿って設けられた第４壁部１３４とから構成されており、これら第１〜第４壁部１３１〜１３４は互いに接続され一体的に扱うことができる。そのため、第１〜第４壁部１３１〜１３４が屈曲しながら接続されることにより、支持脚３１（図２参照）を備えなくても、床面上で自立することが可能となっている。
【００８３】
パネル１０３は、第２壁部１３２が奥行き方向（Ｘ方向）に対して垂直となる平面上に構成され、その第２壁部１３２の右側縁部と左側縁部にそれぞれ第１壁部１３１、及び、第３壁部１３３が接続され、これらは端になるほど使用縁１１１ｂ側、即ち使用者側に近づくように屈曲して配置されている。
【００８４】
このようにパネル１０３を構成することにより、デスク１０１の前に着座する使用者には、適度な囲われ感を持たせることができる。なお、こうした囲われ感を持たせるためには、第１壁部１３１及び第３壁部１３３が、第２壁部１３２に対して屈曲するように配置される形態のみならず、湾曲しながら使用縁１１１ａに近づく形態であっても良い。
【００８５】
上記のように構成した場合であっても、図９に示すように、天板１１１を座位使用位置Ｐ１にすることで、第１実施形態と同様、棚としての棚板１２４と天板１１１とが同一の高さとなり、天板１１１の上面１１３と棚板１２４の上面１２４ａとが面一に連なるため、棚板１２４と天板１１１との間で物品を簡単に移動させることができるとともに、天板１１１上の作業空間ＷＳと棚板１２４上の棚上空間ＵＳ１とを一つの連続空間ＣＳ１として作業効率を高めることが可能となる。さらには、天板１１１上の作業空間ＷＳをパネル１０３によって反使用縁１１１ｂ側より遮蔽することができるとともに、収納家具１０２によって、側方より遮蔽することができるため、着座者は集中して作業を行うことが可能となる。
【００８６】
また、図１１に示すように天板１１１を立位使用位置Ｐ２にした場合においても、第１実施形態と同様、棚としての頂板１２５と天板１１１とが同一の高さとなり、天板１１１の上面１１３と棚板１２５の上面１２５ａとが面一に連なるため、頂板１２５と天板１１１との間で物品を簡単に移動させることができるとともに、天板１１１上の作業空間ＷＳと頂板１２５上の棚上空間ＵＳ２とを一つの連続空間ＣＳ２として作業効率を高めることが可能となる。さらには、天板１１１上の作業空間ＷＳを反使用縁１１１ｂ側からも、側方からも開放することができ、周辺の者とのコミュニケーションをとりやすい状態にすることができる。この図のように全ての天板１１１を立位使用位置Ｐ２にすることで、収納家具１０２の頂板１２５とともに、大型のハイテーブルを構成することができ、複数の者でこれを取り囲みながらミーティングを行うことができる。
【００８７】
以上のように構成することにより、本実施形態におけるデスクシステムＤＳ２は、上述した第１実施形態の場合と同様の効果を得ることができる。
【００８８】
さらには、パネル１０３は、幅方向中央部が天板１１１の奥行き方向に対してほぼ垂直とされるとともに、幅方向両端部が使用縁側に近づくように幅方向中央部に対して湾曲又は屈曲するように構成されていることから、天板１１１を座位使用位置Ｐ１とした際に、作業者の左右方向にまで回り込むようにパネル１０３の位置が設定されることから、適度に囲われ感を持たせてより作業に集中しやすい環境を造り出すことができる。
【００８９】
加えて、向かい合わせた２つの天板１１１，１１１が、平面視において反使用縁１１１ｂと側縁１１１ｃ，１１１ｄとを斜めにつなぐ斜縁１１１ｅ，１１１ｆをそれぞれ備えており、斜縁１１１ｅ，１１１ｆ同士を対向配置させることで、斜向かいに２つの天板１１１，１１１を略連続させ得るように構成していることから、２つの天板１１１，１１１を斜向かいに対向させて配置した際に、互いの使用縁１１１ａ，１１１ａ同士を近づけることが可能となるため、天板１１１を立位使用位置Ｐ２とした際に、より周囲との者との間でコミュニケーションを取り易くすることができる。
【００９０】
また、幅方向に隣接する２つの天板１１１，１１１に着目した場合、同一形状の別の天板１１１，１１１の側縁１１１ｃ，１１１ｄ同士を対向配置させて２つの天板１１１，１１１の側縁１１１ｃ，１１１ｄの間に収納家具１０２を配置し得るように構成しているため、斜縁１１１ｅ，１１１ｆ同士を対向配置させることにより側縁１１１ｃ，１１１ｄ間に生じる空間を収納スペース及び天板１１１の拡張スペースとしても有効に活用することが可能となる。
【００９１】
なお、各部の具体的な構成は、上述した実施形態のみに限定されるものではない。
【００９２】
例えば、上述した実施形態では、天板１１（１１１）を座位使用位置Ｐ１又は立位使用位置Ｐ２とした場合に、天板１１（１１１）が棚板２４（１２４）又は頂板２５（１２５）と同一の高さとなり、天板１１（１１１）の上面１３（１１３）が棚板２４（１２４）の上面２４ａ（１２４ａ）又は頂板２５（１２５）の上面２５ａ（１２５ａ）と面一となるようにしていたが、天板１１（１１１）の上面１３（１１３）と棚板２４（１２４）の上面２４ａ（１２４ａ）又は頂板２５（１２５）の上面２５ａ（１２５ａ）とを一体的に使用できる限り、完全に両者の高さが同一となり面一となっている必要は無い。すなわち、一体的に使用できる限り、天板１１（１１１）と棚板２４（１２４）又は頂板２５（１２５）とは高さ方向に若干ずらしたものを含めて略同一の高さにすれば足り、天板１１（１１１）の上面１３（１１３）と棚板２４（１２４）の上面２４ａ（１２４ａ）又は頂板２５（１２５）の上面２５ａ（１２５ａ）とは高さ方向に若干のズレがある状態を含めて略面一にすれば足りる。
【００９３】
また、上述の実施形態では、パネル３，１０３を、デスク１，１０１や収納家具２，１０２とは独立に構成し自立可能としていたが、デスク１，１０１や収納家具２，１０２に取り付け、これらによって支持させるように構成してもよい。
【００９４】
その場合、図１４に示すように、パネル２０３をデスク２０１の本体１４に固定した取付部材２３３を介して支持させても良い。さらに、パネル２０３に上下方向に延びる長孔２３１を形成し、この長孔２３１を挿通させたネジ２３２により取り付け部材２３３に取り付けるようにすることで、この長孔２３１の範囲で、パネル２０３の高さを変更することもできる。その場合、図１４（ａ）に示すように、パネル２０３を比較的高い位置に取り付けた場合には、パネル２０３の上端２０３ａによって、天板１１上の作業空間ＷＳの遮蔽効果を高めることができる。また、この際には、パネル２０３の下端２０３ｂを床面より大きく離間させることで、下肢空間ＬＳの風通しを良くすることができる。さらに、図１４（ｂ）に示すように、パネル２０３を比較的低い位置に取り付けた場合には、天板１１上の作業空間ＷＳの遮蔽効果を低減し、開放感を得ることが可能となる。なお、この際には、パネル２０３の下端２０３ｂを床面に近づけることで、下肢空間ＬＳの遮蔽効果を高めることができる。このように、パネル２０３を、デスク２０１の本体１４により上下方向に位置変更可能に支持されるようにすることで、作業者の好みや、職場の環境に合わせて、天板１１上の作業空間ＷＳが外部より隔離される度合いを変更することができ、閉鎖感を強めて集中しやすい作業環境にしたり、閉鎖感を弱めて明るく開放的な作業環境にしたりすることができる。
【００９５】
また、パネル２０３を上下に高さ変更可能とするための構造は、上記のものだけではなく、バネにより進退可能な突起をいずれか一方に設けるとともに、これと対向する側に多数の係合穴を設け、これらによってクリックストップ機構を構成してもよい。このような場合には、より簡単にパネル２０３の高さ位置を変更することもできる。
【００９６】
また、収納家具２，１０２の構成も上述したものに限らず、図１５に記載した収納家具３０２のように構成しても良い。これは、棚板３２４及び頂板３２５にＬ字状に折り曲げた取付片３２４ａ，３２５ａを一体的に設けたものであり、側壁部３２３に上下方向に複数設けられたねじ孔３２３ａ〜３２３ａを利用して、取付片３２４ａ，３２５ａを取り付けることにより、棚板３２４及び頂板３２５の高さを任意の位置に設定することが可能となる。
【００９７】
さらには、第１実施形態において用いた収納家具２をベースとして、箱体部２１を設けることなく、その代わりに一般にデスクの天板下に配置して使用される利用されるキャビネットを配置し、利用することもできる。
【００９８】
また、上述した実施形態では、デスクシステムＤＳ１（ＤＳ２）の最小単位であるデスクユニットＤＵ１（ＤＵ２）を、デスク１（１０１）、収納家具２（１０２）、及びパネル３（１０３）より構成していたが、収納家具２（１０２）による側方からの遮蔽効果のみに着目した場合、パネル３（１０３）を設けることは必須ではなく、デスク１（１０１）と収納家具２（１０２）だけで構成しても良い。さらには、島型配置を行うことも必須とはいえず、室内の壁に天板１１（１１１）の反使用縁１１ｂ（１１１ｂ）を隣接させるように配置してもよい。また、デスク１（１０１）に対して、収納家具２（１０２）は、左側方に限らず右側方に配置した場合でも、両側方に配置した場合でも、上記と同様の効果を得ることができる。そして、天板１１（１１１）を立位使用位置Ｐ２にした場合に、周囲の者とのコミュニケーションを取り易くするためには、収納家具２（１０２）の上端２３ａ（１２３ａ）の高さ以上に、立位使用位置Ｐ２における天板１１（１１１）の高さＨ２を設定すれば良い。
【００９９】
さらに、パネル３（１０３）による反使用縁１１ｂ（１１１ｂ）側からの遮蔽効果のみに着目した場合、収納家具２（１０２）を設けることは必須ではなく、デスク１（１０１）とパネル３（１０３）だけで構成しても良い。この際、第２実施形態では、デスク１０１の天板１１１を六角形状にすることも必須ではなく、反使用縁１１１ｂを無くして五角形状に構成することもでき、この場合にも斜縁１１１ｅ，１１１ｆ同士を対向させて、斜め向かいにデスク１０１，１０１同士を配置することもできる。また、そして、天板１１（１１１）を立位使用位置Ｐ２にした場合に、周囲の者とのコミュニケーションを取り易くするためには、パネル３（１０３）の上端３ａ（１０３ａ）の高さ以上に、立位使用位置Ｐ２における天板１１（１１１）の高さＨ２を設定すれば良い。
【０１００】
また、上述の実施形態では、対向して配置される天板１１，１１（１１１，１１１）がそれぞれ異なる本体１４，１４（１１４，１１４）によって支持されるようにしていたものの、こうした構成に限らず、双方の天板１１，１１（１１１，１１１）を支持する本体１４，１４（１１４，１１４）を一体に構成することも可能である。
【０１０１】
その他の構成も、本発明の趣旨を逸脱しない範囲で種々変形が可能である。
【符号の説明】
【０１０２】
１，１０１…デスク
３，１０３…パネル
３ａ，１０３ａ…（パネルの）上端
１１，１１１…天板
１１ａ，１１１ａ…使用縁
１１ｂ，１１１ｂ…反使用縁
１１ｃ，１１ｄ，１１１ｃ，１１１ｄ…側縁
１４，１１４…本体
１１１ｅ，１１１ｆ…斜縁
ＤＳ１，ＤＳ２…デスクシステム
Ｈ１…（座位使用位置における）天板の高さ
Ｈ２…（立位使用位置における）天板の高さ
ＬＳ…下肢空間
Ｐ１…座位使用位置
Ｐ２…立位使用位置
ＷＳ…作業空間
【図１】
0006548371.tif 000002
【図２】
0006548371.tif 000003
【図３】
0006548371.tif 000004
【図４】
0006548371.tif 000005
【図５】
0006548371.tif 000006
【図６】
0006548371.tif 000007
【図７】
0006548371.tif 000008
【図８】
0006548371.tif 000009
【図９】
0006548371.tif 000010
【図１０】
0006548371.tif 000011
【図１１】
0006548371.tif 000012
【図１２】
0006548371.tif 000013
【図１３】
0006548371.tif 000014
【図１４】
0006548371.tif 000015
【図１５】
0006548371.tif 000016